(57)【要約】【課題】座位で脊椎、骨盤を安定させることができ、着座するだけで姿勢を矯正できる椅子を提供する。【解決手段】背もたれ面に使用者の胸腰椎移行部あたりを支持する背面支持部を有し、背もたれ面と使用者の背中との接触部を胸腰椎移行部あたりに限定することで姿勢を安定させることを可能にした。さらに使用者の坐骨の動きを制限する坐骨支持部を配置することで、使用者は着座するだけで姿勢の矯正が可能となる。【選択図】図１
2017094015.tif 000002
【特許請求の範囲】
【請求項１】
使用者の臀部と接触する座面と、使用者の背中と接触する背もたれ面を備える椅子において、背もたれ面に使用者の胸腰椎移行部あたりと接触する背面支持部を有し、背もたれ面と使用者の背中との接触部を使用者の胸腰椎移行部あたりに限定することを特徴とした椅子。
【請求項２】
座面に使用者の坐骨の動きを制限する坐骨支持部を有することが特徴の請求項１記載の椅子。
【請求項３】
背面支持部及び坐骨支持部が、使用者に合わせて移動できる構造であることを特徴とした請求項１又は２に記載の椅子。
【請求項４】
座位での姿勢矯正方法において、背もたれ面で使用者の胸腰椎移行部あたりを支持し、座面で使用者の坐骨の動きを制限することで相互作用により骨盤、腰椎、胸椎を安定させ、安定した姿勢を保持することで姿勢を矯正させることを特徴とした姿勢矯正方法。
【発明の詳細な説明】
【発明の詳細な説明】
【技術分野】
【０００１】  本発明は姿勢矯正器具となる椅子に関するものである。
【背景技術】
【０００２】  座面および背もたれ面を有する椅子は多くある。座り心地を良くする目的で、種々の工夫がなされている。例えば、背もたれ面の傾斜角度調整が可能なものがある。【０００３】  また、使用者が着座することによる姿勢矯正器具はある。特許文献１は坐骨が載る座面と、座面の後方側に連設し骨盤を前傾に支持する支持部とを有し、骨盤を前傾に支持することができて、腰椎が前弯した正しい姿勢を保つことが可能なクッションがある。
【先行技術文献】
【特許文献】
【０００４】
【特許文献１】特開２０１５−１４６号公報
【非特許文献】
【発明の概要】
【発明が解決しようとする課題】
【０００５】  従来の椅子は使用者の体重を受け止めるべく椅子の背もたれ面と使用者の背中との接触面が大きく、さらに背もたれが傾斜することにより背筋を伸ばした正しい姿勢を崩しやすかった。【０００６】  また、特許文献１は骨盤が前傾となるように支持し、腰椎を前弯させることはできるが、腰椎及び胸椎は適切に支持されていないので脊椎の特に上方部の姿勢が崩れることが考えられる。
【課題を解決する手段】
【０００７】  本発明は、上記問題を解決しようとするもので、使用者の臀部と接触する座面と、使用者の背中と接触する背もたれ面を備える椅子において、使用者の背中と背もたれ面との接触部を胸腰椎移行部あたりに限定することで姿勢が崩れるのを防ぎ、さらに座面で坐骨の動きを制限することで骨盤及び脊椎全体を安定させ、着座するだけで姿勢を矯正することが可能となる椅子を提案する。
【０００８】  背もたれ面では背面支持部を配置し、使用者の背中との接触部を限定する。また、使用者の背中は背面支持部以外とは接触しないので、使用者の背中が背面支持部と接触する位置が重要となる。背面支持部が使用者の胸腰椎移行部あたりより上方にあるとすると腰が曲がることが考えられ、胸腰椎移行部あたりより下方にあると胸椎上部の姿勢が崩れることが考えられる。よって使用者が座位で背筋を伸ばした正しい姿勢のとき、使用者の背中の胸腰椎移行部あたりの高さを支持する背面支持部を配置する。
【０００９】  また、胸椎は上から第１胸椎から第１２胸椎まで、腰椎は上から第１腰椎から第５腰椎まであるが、胸腰椎移行部あたりとは、図４に示すが、ここでは第１０胸椎Ａから第２腰椎Ｂまでの範囲とする。使用者の背中と背面支持部との接触部は、使用者の第１０胸椎Ａの高さから第２腰椎Ｂまでの高さの範囲内に限定する。
【００１０】  背面支持部に加え、さらに坐骨支持部を配置することにより姿勢矯正効果が高まり、姿勢矯正器具としての機能を有する。座位で背筋を伸ばした正しい姿勢のとき、背もたれ面で使用者の胸腰椎移行部あたりを支持し、さらに座面で使用者の座骨の動きを制限することにより姿勢は安定し、安定した姿勢を保持することにより姿勢は矯正される。
【００１１】  本発明の椅子は使用者の胸腰椎移行部あたりを支持する背面支持部を有し、さらに使用者の坐骨の動きを制限する坐骨支持部を配置することにより使用者は着座するだけで正しい姿勢に矯正されることを可能とした。座位で背筋を伸ばした正しい姿勢のとき、背もたれ面に配置された背面支持部に使用者の胸腰椎移行部あたりを接触させて脊椎を支持し、さらに座面に配置された坐骨支持部に使用者の坐骨を接触させて坐骨の動きを制限する。これにより相互作用で骨盤、腰椎、胸椎の動きを制限することが可能となり、姿勢を安定させることができる。
【００１１】  もし、使用者の坐骨の動きを制限しなかったとすると骨盤が後ろに倒れることが考えられる。また、背面支持部が使用者の胸腰椎移行部あたりより上方にあるとすると腰が曲がることが考えられ、胸腰椎移行部あたりより下方にあるとすると胸椎上部の姿勢が崩れることが考えられる。よって使用者の坐骨の動きの制限及び胸腰椎移行部あたりを支持することが重要となる。
【００１２】  使用者の体格は異なる。また、腰痛等の症状のある使用者は、本発明の椅子を通常に使用することが痛みで困難なこともある。よって背面支持部は背もたれ面で上下方向に、坐骨支持部は座面で前後方向に移動でき、使用者の体格及び症状に合わせて適切に支持できる構造であることが望ましい。面ファスナー等の利用で背面支持部及び坐骨支持部の移動、または座面及び背もたれ面が移動できる構造であれば可能となる。
【００１３】  姿勢矯正方法として、使用者は背筋を伸ばした正しい姿勢で着座したとき、背もたれ面に配置された背面支持部に使用者の胸腰椎移行部あたりを接触させることで脊椎が支持され、さらに、座面に配置された坐骨支持部に使用者の坐骨を接触させることで坐骨の動きを制限されることによって、相互作用で骨盤、腰椎、胸椎の動きは制限され、正しい姿勢を保持することが可能となり、正しい姿勢を保持することにより姿勢は矯正される。
【発明の効果】
【００１４】  本発明の椅子は安定した姿勢での着座を可能にし、さらに坐骨支持部を配置することにより姿勢矯正効果が高まり姿勢矯正器具としての機能も有し、着座するだけで正しい姿勢を身体に覚えさせることが可能となり不良姿勢を矯正することができる。また、姿勢が安定することにより座位で背筋を伸ばした正しい姿勢を長時間保持することができ、不良姿勢になることを予防することができる。姿勢が矯正されることにより肩こりや腰痛等の症状の改善が期待できる。
【図面の簡単な説明】
【００１５】
【図１】椅子に背面支持部及び坐骨支持部が配置され、使用者が着座した側面図である。
【図２】座板及び背もたれ板を有する椅子に背面支持部及び坐骨支持部を配置した斜視図である。
【図３】背面支持部及び坐骨支持部が単独で背もたれ面及び座面となる椅子の斜視図である。
【図４】人体後面の骨格図である。
【発明を実施するための形態】
【００１６】  次に本発明の実施形態を添付した図面を参照して説明する。
【００１７】  本発明は使用者の背中の胸腰椎移行部あたりを支持することにより脊椎を安定させ、さらに使用者の坐骨の動きを制限することで姿勢を矯正できることが特徴の椅子である。座位で背筋を伸ばした正しい姿勢のとき胸腰椎移行部あたりを支持すること及び坐骨の動きを制限することが重要であって、腰や背中を曲げた姿勢で使用しても効果はない。
【００１８】  椅子の背もたれ面に背面支持部２が配置されている。使用者が背面支持部２に体重を預けたとき、背もたれ面及び背面支持部２が後方に傾斜してしまうと安定した姿勢を保てない。また、背面支持部２により使用者の背中の胸腰椎移行部あたり４を圧迫することになる。よって、背もたれ面及び背面支持部２は使用者が体重を預けても傾斜しない構造であり、背面支持部２の使用者との接触面は小さすぎず、使用者の負担を軽減させるために弾性のある素材を用いるべきである。
【００１９】  背面支持部２は座位で背筋を伸ばした正しい姿勢１のとき、使用者の背中の胸腰椎移行部あたり４の高さと接触する位置に配置する。図１及び図２のように座板５及び背もたれ板６を有する椅子の背もたれ板６に背面支持部２を配置する構造や、図３のように背もたれ面が使用者と接触する高さで屈曲する構造もある。
【００２０】  使用者の背中は背面支持部２以外とは接触しないことが特徴である。よって、図１及び図２のように背もたれ板６に背面支持部２を配置する場合、背面支持部２は背もたれ板６から使用者側に少なくとも５０ｍｍほど突出していることが望ましい。また、背もたれ面と使用者の背中との接触面が小さいことが特徴である椅子だが、使用者の負担とならないように、少なくとも縦に５０ｍｍ、横に１００ｍｍ程度の大きさの接触面を有する背面支持部２で使用者の背中を支持する。よって、少なくとも縦５０ｍｍ、横１００ミリ、奥行き５０ｍｍ程度の大きさの木片、木片を弾性素材で覆ったもの、発泡ゴム等を用いる。接触位置、接触面、突出構造等の要点を満たしていれば形状は問わない。
【００２１】  椅子の座面に坐骨支持部３が配置されている。坐骨支持部３後面に使用者の坐骨７前下面を接触させ坐骨７の動きを制限する。このとき使用者の大腿後面上部を圧迫することになる。よって、坐骨支持部３は左右の坐骨７を支持することができ、さらに使用者の負担を軽減させるために弾性のある素材を用いるべきである。
【００２２】  坐骨支持部３は、高さ５０ｍｍ、長さ３００ｍｍの半円柱形状の発泡ゴム素材のものを例に挙げるが、半円柱形状の他に円柱形状、三角柱形状等でも可能で、形成する材料はウレタン、クロロプレン、または、リボンデッドフォーム等であってもよい。また、坐骨支持部３を形成する材料は、非弾性材料であってもよい。この場合、使用者大腿後面上部の圧迫に注意する。
【００２３】  坐骨支持部３は一対の坐骨７の動きを制限させるものであって、その要点を満たしていれば一対の坐骨７を一つの支持部で同時に支持するものや、一対の坐骨７の位置に対応する一対となった支持部でも構わない。また、高さ５０ｍｍ、長さ３００ｍｍの半円柱形状の発泡ゴム等を用いず、座板５に傾斜をつけることにより坐骨７の動きを制限することもできる。さらに、座板５に坐骨７をおさめる窪みを作ることにより同様の効果を得られる。
【００２４】  背面支持部２及び坐骨支持部３は、単純にネジ、接着剤や両面テープ等で固定できる。しかし使用者の体格は異なる。また、腰痛等の症状のある使用者は、本発明の椅子を通常に使用することが痛みで困難なこともある。よって背面支持部２は背もたれ面で上下方向に、坐骨支持部３は座面で前後方向に移動でき、使用者の体格及び症状に合わせて適切に支持できる構造であることが望ましい。
【００２５】  図１及び図２のように座板５及び背もたれ板６を有する椅子の場合、面ファスナー等の利用で背面支持部２及び坐骨支持部３の移動が可能となる。そもそも坐骨支持部３は上方より使用者の荷重がかかり、座板５に押し付けられるため、坐骨支持部３を面ファスナー等で固定しなければならないものではない。
【００２６】  また、図３のように座板５及び背もたれ板６を有さず、背面支持部２及び坐骨支持部３が単独で背もたれ面及び座面となる構造では、背もたれ面及び座面を移動させて調整する。支柱に等間隔で設けられた固定用穴９ａ、９ｂにネジ等の支持具８ａ、８ｂを通し固定する方法で使用者に合わせて移動できる。
【実施例】
【００２７】  本発明の椅子の単独での使用または椅子類の座面に本器を設置して使用することも可能である。また、図１及び図２のように椅子の座板５に坐骨支持部３、背もたれ板６に背面支持部２を配置した構造や、図３のように坐骨支持部３が単独で座面となり、背面支持部２が単独で背もたれ面となる構造でも、要点を満たしていれば同様の効果が得られる。
【産業上の利用可能性】
【００２８】  本発明は姿勢を安定させる椅子としてだけでなく、猫背等の不良姿勢を矯正する姿勢矯正器具として利用でき、姿勢が矯正されることによって腰痛等様々な症状の改善を期待できるため、産業上有用である。
【符号の説明】
【００２９】  １    座位で背筋を伸ばした正しい姿勢
２    背面支持部
３    坐骨支持部
４    胸腰椎移行部あたり
５    座板
６    背もたれ板
７    坐骨
８ａ  支持具
８ｂ  支持具
９ａ  固定用穴
９ｂ  固定用穴
Ａ    第１０胸椎
Ｂ    第２腰椎
【図１】
2017094015.tif 000003
【図２】
2017094015.tif 000004
【図３】
2017094015.tif 000005
【図４】
2017094015.tif 000006